(57)【要約】【課題】インターホンや新聞受け等の玄関備品を支持するエントランスパネルの取付けの作業性の容易化を図ることである。【解決手段】ドア枠１の戸先側たて枠５に突出部６を一体に形成し、玄関備品を支持するエントランスパネル８の一側には上記突出部６の内側面に係合可能な係合片９を設ける。係合片９を突出部６の内側面に係合してエントランスパネル８を位置決めし、その位置決め状態で袖壁７にエントランスパネル８に設けられたねじ挿入孔２９の位置をけがく。そのけがき位置にアンカ３０を埋め込み、ねじ挿入孔２９からアンカ３０にねじ係合されるねじ３１の締付けによってエントランスパネル８を固定する。【選択図】図３
2005282147.tif 000002
【特許請求の範囲】
【請求項１】
ドア枠の戸先側たて枠にその上下端にわたる長さの突出部を屋外側に突出させて設け、その突出部の屋外側表面および戸先側たて枠の一側方に設けられた袖壁の表面を覆うエントランスパネルによって玄関備品を支持し、そのエントランスパネルの一側縁に前記突出部の内側面に係合可能な係合片を設け、前記袖壁の表面には前記係合片が突出部に係合する状態でエントランスパネルに設けられた複数のねじ挿入孔と対応する位置にアンカを埋め込み、前記各ねじ挿入孔から各アンカにねじ込まれるねじの締付けによってエントランスパネルを固定した玄関備品の取付装置。
【発明の詳細な説明】
【背景技術】
【０００１】
一般に、マンション等の中、高層建築物の各戸における玄関にはドアが設けられ、そのドアの周りに、インターホン、室名札、照明灯、新聞受け等の各種の玄関備品を取付けるようにしている。
【０００２】
ここで、上記各種の玄関備品を個別に取付ける構成であると、取付けに非常に手間がかかるため、近年では、各種の玄関備品をエントランスパネルに取付けてユニット化し、そのエントランスユニットをドアの一側方に設けられた袖壁にねじ止めする取付けが広く採用されるようになってきている。
【発明の開示】
【発明が解決しようとする課題】
【０００３】
ところで、上記のようなエントランスユニットの取付けに際し、袖壁表面にエントランスユニットのエントランスパネルに設けられた複数のねじ挿入孔と対応する位置に中心線をけがき、その中心線にアンカを埋め込み、各アンカにねじ込まれるねじの締付けによってエントランスパネルの固定化を図るようにしているが、複数のねじ挿入孔と対応する位置に中心線をけがく際にはエントランスパネルを袖壁に押し付けて位置決めし、その位置決め状態を保持してけがきを行なう必要があるため、けがき作業に手間がかかり、エントランスパネルの取付けに時間を要するという不都合があった。
【０００４】
この発明の課題は、玄関備品を支持するエントランスパネルの取付けの作業性の向上を図ること、および体裁の良好な取付けが得られるようにすることである。
【課題を解決するための手段】
【０００５】
上記の課題を解決するために、この発明においては、ドア枠の戸先側たて枠にその上下端にわたる長さの突出部を屋外側に突出させて設け、その突出部の屋外側表面および戸先側たて枠の一側方に設けられた袖壁の表面を覆うエントランスパネルによって玄関備品を支持し、そのエントランスパネルの一側縁に前記突出部の内側面に係合可能な係合片を設け、前記袖壁の表面には前記係合片が突出部に係合する状態でエントランスパネルに設けられた複数のねじ挿入孔と対応する位置にアンカを埋め込み、前記各ねじ挿入孔から各アンカにねじ込まれるねじの締付けによってエントランスパネルを固定した構成を採用したのである。
【発明の効果】
【０００６】
上記のように、ドア枠の戸先側たて枠に突出部を設け、エントランスパネルの一側に係合片を設けることにより、その係合片を突出部に係合することによってエントランスパネルを位置決めすることができ、その位置決め状態で袖壁表面にエントランスパネルに形成された複数のねじ挿入孔の位置をけがくことができる。このため、けがき作業が容易であり、エントランスパネルの取付けの作業性を向上させることができる。
【０００７】
また、各けがき位置にアンカを埋め込み、各アンカにねじ込まれるねじの締付けによってエントランスパネルを固定することにより、エントランスパネルは戸先側たて枠の突出部によって位置決めされた状態で固定されるため、戸先側たて枠と平行するきわめて高い取付け精度を得ることができると共に、上記戸先側たて枠にエントランスパネルが一体化された感じを与えることができるので、体裁の良好な取付状態を得ることができる。
【発明を実施するための最良の形態】
【０００８】
以下、この発明の実施の形態を図面に基づいて説明する。図１に示すように、角形ドア枠１の内側の出入口２は蝶番３によって一側部が支持されたドア４によって開閉される。
【０００９】
図２および図３に示すように、ドア枠１の前記ドア４の戸先と対向する戸先側たて枠５には、その戸先側たて枠５の上下端にわたる長さの突出部６が一体に設けられている。
【００１０】
突出部６は、戸先側たて枠５の一側方に形成された袖壁７の表面より屋外側に突出しており、その突出部６と袖壁７の表面を覆うエントランスパネル８の一側縁に上記突出部６の内側面に係合可能な係合片９が設けられている。
【００１１】
エントランスパネル８の上下端には袖壁７に向けて折れ曲がる折曲片１０が設けられている。また、エントランスパネル８には、図１に示すように、上部から透光性を有する照明カバー１１、室番札１２および名札１３、インターホン１４および新聞受け１５が支持され、上記照明カバー１１内に設けられたソケット１６に照明灯１７が支持されている。
【００１２】
室番札１２および名札１３の支持に際し、ここでは、図３に示すように、エントランスパネル８に札嵌合孔１８、１９を設け、上記エントランスパネル８の背面には上記各札嵌合孔１８、１９と対向する位置に札支持枠２０、２１を取付け、その札支持枠２０、２１に取付けられた永久磁石２２によって各札嵌合孔１８、１９に嵌合された室番札１２および名札１３を吸着するようにしている。
【００１３】
一方、インターホン１４の支持に際し、ここでは、エントランスパネル８にインターホン１４のフロントパネル１４ａが嵌合される嵌合孔２３を形成し、エントランスパネル８の背面には上記嵌合孔２３の上部と対向する位置に支持片２４を設け、その支持片２４に複数のねじ孔２５を形成し、各ねじ孔２５にねじ係合されるビス２６の締付けによって嵌合孔２３に嵌合されたインターホン１４のフロントパネル１４ａを固定するようにしている。
【００１４】
図２および図３に示すように、エントランスパネル８の上下端部には幅方向に長く延びる一対の抜孔２７が形成されている。エントランスパネル８の背面には、各抜孔２７と対向する位置、および前記嵌合孔２３の下部と対向する位置のそれぞれにブラケット２８が設けられている。ブラケット２８はＬ形の取付片２８ａを両端部に有し、その取付片２８ａがエントランスパネル８の背面に衝合されて溶接による手段を介して固着されている。
【００１５】
ブラケット２８のそれぞれには複数のねじ挿入孔２９が形成され、一方、袖壁７の表面には、各ねじ挿入孔２９と対応する位置にアンカ３０が埋め込まれ、各ねじ挿入孔２９からアンカ３０にねじ係合されるねじ３１の締付けによってエントランスパネル８が固定されている。
【００１６】
抜孔２７は、その抜孔２７に嵌合されるプレート３２によって閉塞される。抜孔２７に嵌合されたプレート３２は、ブラケット２８に取付けられた支持枠３３によって支持され、その支持枠３３に取付けられた永久磁石３４の吸着によって嵌合状態に保持される。
【００１７】
実施の形態で示す玄関備品の取付装置は上記の構造から成り、室番札１２、名札１３、インターホン１４、新聞受け１５、照明灯１７の玄関備品を支持するエントランスパネル８の取付けに際しては、そのエントランスパネル８の一側縁に設けられた係合片９を戸先側たて枠５に設けられた突出部６の内側面に係合して、エントランスパネル８を位置決めし、その位置決め状態において、袖壁７の表面に各ブラケット２８に形成されたねじ挿入孔２９の位置をけがく。
【００１８】
けがき作業後、エントランスパネル８を一旦取外し、袖壁７の表面に形成された各けがき位置に下孔を穿設し、各下孔にアンカ３０を取付ける。
【００１９】
アンカ３０の取付け後、エントランスパネル８の係合片９を戸先側たて枠５の突出部６の内側面に係合して、エントランスパネル８を再度位置決めし、各ブラケット２８のねじ挿入孔２９とアンカ３０とを位置合わせしたのち、ねじ挿入孔２９にねじ３１を挿入してアンカ３０にねじ係合し、そのねじ３１の締付けによってエントランスパネル８を固定する。
【００２０】
このように、係合片９を突出部６に係合するエントランスパネル８の位置決め状態で袖壁７の表面にねじ挿入孔２９の位置のけがき作業を行なうことができるため、けがき作業が容易であり、しかも、けがき位置にアンカ３０を埋め込んだのち、係合片９と突出部６の係合によってエントランスパネル８を再度位置決めすることにより、アンカ３０とねじ挿入孔２９とが一致し、そのねじ挿入孔２９からアンカ３０にねじ込まれるねじ３１の締付けによってエントランスパネル８を固定することができるので、エントランスパネル８をきわめて短時間に能率よく取付けることができる。
【００２１】
また、エントランスパネル８は戸先側たて枠５の突出部６によって位置決めされた状態で固定されるため、戸先側たて枠５と平行するきわめて高い取付け精度を得ることができると共に、エントランスパネル８は戸先側たて枠５に一体化された感じを与えることができるため、体裁の良好な取付け状態を得ることができる。
【図面の簡単な説明】
【００２２】
【図１】この発明に係る玄関備品の取付装置の実施形態を示す正面図
【図２】図１のII−II線に沿った断面図
【図３】図１の分解斜視図
【符号の説明】
【００２３】
１    ドア枠
５    戸先側たて枠
６    突出部
７    袖壁
８    エントランスパネル
９    係合片
１２  室番札
１３  名札
１４  インターホン
１５  新聞受け
１７  照明灯
２９  ねじ挿入孔
３０  アンカ
【図１】
2005282147.tif 000003
【図２】
2005282147.tif 000004
【図３】
2005282147.tif 000005
【手続補正書】
【提出日】平成16年4月13日(2004.4.13)
【手続補正１】
【補正対象書類名】明細書
【補正対象項目名】全文
【補正方法】変更
【補正の内容】
【発明の詳細な説明】
【技術分野】
【０００１】
この発明は、インターホン、室名札、照明灯、新聞受け等の玄関備品の取付装置に関するものである。
【背景技術】
【０００２】
一般に、マンション等の中、高層建築物の各戸における玄関にはドアが設けられ、そのドアの周りに、インターホン、室名札、照明灯、新聞受け等の各種の玄関備品を取付けるようにしている。
【０００３】
ここで、上記各種の玄関備品を個別に取付ける構成であると、取付けに非常に手間がかかるため、近年では、各種の玄関備品をエントランスパネルに取付けてユニット化し、そのエントランスユニットをドアの一側方に設けられた袖壁にねじ止めする取付けが広く採用されるようになってきている。
【発明の開示】
【発明が解決しようとする課題】
【０００４】
ところで、上記のようなエントランスユニットの取付けに際し、袖壁表面にエントランスユニットのエントランスパネルに設けられた複数のねじ挿入孔と対応する位置に中心線をけがき、その中心線にアンカを埋め込み、各アンカにねじ込まれるねじの締付けによってエントランスパネルの固定化を図るようにしているが、複数のねじ挿入孔と対応する位置に中心線をけがく際にはエントランスパネルを袖壁に押し付けて位置決めし、その位置決め状態を保持してけがきを行なう必要があるため、けがき作業に手間がかかり、エントランスパネルの取付けに時間を要するという不都合があった。
【０００５】
この発明の課題は、玄関備品を支持するエントランスパネルの取付けの作業性の向上を図ること、および体裁の良好な取付けが得られるようにすることである。
【課題を解決するための手段】
【０００６】
上記の課題を解決するために、この発明においては、ドア枠の戸先側たて枠にその上下端にわたる長さの突出部を屋外側に突出させて設け、その突出部の屋外側表面および戸先側たて枠の一側方に設けられた袖壁の表面を覆うエントランスパネルによって玄関備品を支持し、そのエントランスパネルの一側縁に前記突出部の内側面に係合可能な係合片を設け、前記袖壁の表面には前記係合片が突出部に係合する状態でエントランスパネルに設けられた複数のねじ挿入孔と対応する位置にアンカを埋め込み、前記各ねじ挿入孔から各アンカにねじ込まれるねじの締付けによってエントランスパネルを固定した構成を採用したのである。
【発明の効果】
【０００７】
上記のように、ドア枠の戸先側たて枠に突出部を設け、エントランスパネルの一側に係合片を設けることにより、その係合片を突出部に係合することによってエントランスパネルを位置決めすることができ、その位置決め状態で袖壁表面にエントランスパネルに形成された複数のねじ挿入孔の位置をけがくことができる。このため、けがき作業が容易であり、エントランスパネルの取付けの作業性を向上させることができる。
【０００８】
また、各けがき位置にアンカを埋め込み、各アンカにねじ込まれるねじの締付けによってエントランスパネルを固定することにより、エントランスパネルは戸先側たて枠の突出部によって位置決めされた状態で固定されるため、戸先側たて枠と平行するきわめて高い取付け精度を得ることができると共に、上記戸先側たて枠にエントランスパネルが一体化された感じを与えることができるので、体裁の良好な取付状態を得ることができる。
【発明を実施するための最良の形態】
【０００９】
以下、この発明の実施の形態を図面に基づいて説明する。図１に示すように、角形ドア枠１の内側の出入口２は蝶番３によって一側部が支持されたドア４によって開閉される。
【００１０】
図２および図３に示すように、ドア枠１の前記ドア４の戸先と対向する戸先側たて枠５には、その戸先側たて枠５の上下端にわたる長さの突出部６が一体に設けられている。
【００１１】
突出部６は、戸先側たて枠５の一側方に形成された袖壁７の表面より屋外側に突出しており、その突出部６と袖壁７の表面を覆うエントランスパネル８の一側縁に上記突出部６の内側面に係合可能な係合片９が設けられている。
【００１２】
エントランスパネル８の上下端には袖壁７に向けて折れ曲がる折曲片１０が設けられている。また、エントランスパネル８には、図１に示すように、上部から透光性を有する照明カバー１１、室番札１２および名札１３、インターホン１４および新聞受け１５が支持され、上記照明カバー１１内に設けられたソケット１６に照明灯１７が支持されている。
【００１３】
室番札１２および名札１３の支持に際し、ここでは、図３に示すように、エントランスパネル８に札嵌合孔１８、１９を設け、上記エントランスパネル８の背面には上記各札嵌合孔１８、１９と対向する位置に札支持枠２０、２１を取付け、その札支持枠２０、２１に取付けられた永久磁石２２によって各札嵌合孔１８、１９に嵌合された室番札１２および名札１３を吸着するようにしている。
【００１４】
一方、インターホン１４の支持に際し、ここでは、エントランスパネル８にインターホン１４のフロントパネル１４ａが嵌合される嵌合孔２３を形成し、エントランスパネル８の背面には上記嵌合孔２３の上部と対向する位置に支持片２４を設け、その支持片２４に複数のねじ孔２５を形成し、各ねじ孔２５にねじ係合されるビス２６の締付けによって嵌合孔２３に嵌合されたインターホン１４のフロントパネル１４ａを固定するようにしている。
【００１５】
図２および図３に示すように、エントランスパネル８の上下端部には幅方向に長く延びる一対の抜孔２７が形成されている。エントランスパネル８の背面には、各抜孔２７と対向する位置、および前記嵌合孔２３の下部と対向する位置のそれぞれにブラケット２８が設けられている。ブラケット２８はＬ形の取付片２８ａを両端部に有し、その取付片２８ａがエントランスパネル８の背面に衝合されて溶接による手段を介して固着されている。
【００１６】
ブラケット２８のそれぞれには複数のねじ挿入孔２９が形成され、一方、袖壁７の表面には、各ねじ挿入孔２９と対応する位置にアンカ３０が埋め込まれ、各ねじ挿入孔２９からアンカ３０にねじ係合されるねじ３１の締付けによってエントランスパネル８が固定されている。
【００１７】
抜孔２７は、その抜孔２７に嵌合されるプレート３２によって閉塞される。抜孔２７に嵌合されたプレート３２は、ブラケット２８に取付けられた支持枠３３によって支持され、その支持枠３３に取付けられた永久磁石３４の吸着によって嵌合状態に保持される。
【００１８】
実施の形態で示す玄関備品の取付装置は上記の構造から成り、室番札１２、名札１３、インターホン１４、新聞受け１５、照明灯１７の玄関備品を支持するエントランスパネル８の取付けに際しては、そのエントランスパネル８の一側縁に設けられた係合片９を戸先側たて枠５に設けられた突出部６の内側面に係合して、エントランスパネル８を位置決めし、その位置決め状態において、袖壁７の表面に各ブラケット２８に形成されたねじ挿入孔２９の位置をけがく。
【００１９】
けがき作業後、エントランスパネル８を一旦取外し、袖壁７の表面に形成された各けがき位置に下孔を穿設し、各下孔にアンカ３０を取付ける。
【００２０】
アンカ３０の取付け後、エントランスパネル８の係合片９を戸先側たて枠５の突出部６の内側面に係合して、エントランスパネル８を再度位置決めし、各ブラケット２８のねじ挿入孔２９とアンカ３０とを位置合わせしたのち、ねじ挿入孔２９にねじ３１を挿入してアンカ３０にねじ係合し、そのねじ３１の締付けによってエントランスパネル８を固定する。
【００２１】
このように、係合片９を突出部６に係合するエントランスパネル８の位置決め状態で袖壁７の表面にねじ挿入孔２９の位置のけがき作業を行なうことができるため、けがき作業が容易であり、しかも、けがき位置にアンカ３０を埋め込んだのち、係合片９と突出部６の係合によってエントランスパネル８を再度位置決めすることにより、アンカ３０とねじ挿入孔２９とが一致し、そのねじ挿入孔２９からアンカ３０にねじ込まれるねじ３１の締付けによってエントランスパネル８を固定することができるので、エントランスパネル８をきわめて短時間に能率よく取付けることができる。
【００２２】
また、エントランスパネル８は戸先側たて枠５の突出部６によって位置決めされた状態で固定されるため、戸先側たて枠５と平行するきわめて高い取付け精度を得ることができると共に、エントランスパネル８は戸先側たて枠５に一体化された感じを与えることができるため、体裁の良好な取付け状態を得ることができる。
【図面の簡単な説明】
【００２３】
【図１】この発明に係る玄関備品の取付装置の実施形態を示す正面図
【図２】図１のII−II線に沿った断面図
【図３】図１の分解斜視図
【符号の説明】
【００２４】
１    ドア枠
５    戸先側たて枠
６    突出部
７    袖壁
８    エントランスパネル
９    係合片
１２  室番札
１３  名札
１４  インターホン
１５  新聞受け
１７  照明灯
２９  ねじ挿入孔
３０  アンカ